(57)【特許請求の範囲】
【請求項１】
筒状のペン本体（４）内にインク吸蔵体（７）が収容され、前記ペン本体（４）の後端部はインク吸蔵体（７）をペン本体（４）内に着脱可能とすべく開口されており、該開口部（６）に、インク吸蔵体（７）とは別体の栓体（１１）が着脱可能に取付けられ、前記インク吸蔵体（７）の一部が、栓体（１１）を前記開口部（６）から取り外したときに該栓体（１１）とともに開口部（６）から抜き出されるように栓体（１１）に保持されており、ペン本体（４）の先端部にペン芯（２）が取付けられているとともに、ペン本体（４）の後端部に取付けられる栓体（１１）にもペン芯（３）が取付けられていることを特徴とするマーキングペン。
【請求項２】
筒状のペン本体（４）内にインク吸蔵体（７）が収容され、前記ペン本体（４）の後端部はインク吸蔵体（７）をペン本体（４）内に着脱可能とすべく開口されており、該開口部（６）に、インク吸蔵体（７）とは別体の栓体（１１）が着脱可能に取付けられ、前記インク吸蔵体（７）の一部が、栓体（１１）を前記開口部（６）から取り外したときに該栓体（１１）とともに開口部（６）から抜き出されるように栓体（１１）に保持されており、ペン本体（４）にはペン芯（２）が取付けられておらず、ペン本体（４）の開口部（６）に取付けられる栓体（１１）にペン芯（３）が取付けられていることを特徴とするマーキングペン。
【請求項３】
前記インク吸蔵体（７）は、インクを含浸する円柱状又は角柱状の中綿（８）と、該中綿（８）の外側周面を被覆する薄膜カバー（９）とからなり、前記栓体（１１）は、ペン本体（４）の後端部に嵌入される筒部（１２）と、ペン本体（４）の後端面に当接するフランジ部（１３）とを一体に有し、筒部（１２）の内面に、軸方向に延びるリブ（１５）が周方向複数箇所に設けられており、該リブ（１５）の突出量は、リブ（１５）の内端がインク吸蔵体（７）に圧接されるように設定されていることを特徴とする請求項１又は２に記載のマーキングペン。
【請求項４】
筒状のペン本体（４）内にインク吸蔵体（７）が収容され、前記ペン本体（４）の後端部はインク吸蔵体（７）をペン本体（４）内に着脱可能とすべく開口されており、該開口部（６）に、インク吸蔵体（７）とは別体の栓体（１１）が着脱可能に取付けられ、前記インク吸蔵体（７）の一部が、栓体（１１）を前記開口部（６）から取り外したときに該栓体（１１）とともに開口部（６）から抜き出されるように栓体（１１）に保持されており、前記インク吸蔵体（７）は、インクを含浸する円柱状又は角柱状の中綿（８）と、該中綿（８）の外側周面を被覆する薄膜カバー（９）とからなり、前記栓体（１１）は、ペン本体（４）の後端部に嵌入される筒部（１２）と、ペン本体（４）の後端面に当接するフランジ部（１３）とを一体に有し、筒部（１２）の内面に、軸方向に延びるリブ（１５）が周方向複数箇所に設けられており、該リブ（１５）の突出量は、リブ（１５）の内端がインク吸蔵体（７）に圧接されるように設定されていることを特徴とするマーキングペン。
【請求項５】
ペン本体（４）の先端部にペン芯（２）が取付けられており、ペン本体（４）の後端部に取付けられる栓体（１１）にはペン芯（３）が取付けられていないことを特徴とする請求項４に記載のマーキングペン。
【発明の詳細な説明】
【０００１】
【発明の属する技術分野】
本発明は、筆記具その他の塗布具として用いられるマーキングペンに関し、特に、インク補充式のマーキングペンに関する。
【０００２】
【従来の技術】
この種従来のマーキングペンとして、例えば、実開平６−４２２５４号公報に開示されたものがある。かかるマーキングペンは、長尺筒状のペン本体内にレフィルを嵌合してなるものであって、該レフィルは、合成樹脂射出成型品からなる円筒形状の本体と、インクを含浸させた後に本体内に収容された中綿からなり、本体の前端と後端は閉じられている。そして、レフィルを、ペン本体の前端部に設けたペン芯がレフィル前端を突き破るまでペン本体内に挿入することによって、ペン芯の後端が中綿内に投入し、中綿内のインクがペン芯に供給されて筆記可能となるように構成されている。
【０００３】
上記した従来のマーキングペンにおいては、インクがなくなる毎にレフィルを交換することによりペン本体を継続的に利用可能であるが、インクを補充する場合に比してユーザーのコスト負担が大きくなる。したがって、部品交換をすることなくインクを補充し得るマーキングペンの需要も高い。
【０００４】
このようなインク補充式マーキングペンは、長尺筒状のペン本体内に長尺状のインク吸蔵体が収容され、ペン本体の軸方向一端部はインク吸蔵体をペン本体内に着脱可能とすべく開口されており、該開口部に、インク吸蔵体とは別体の栓体が着脱可能に取付けられている（上記従来公報の図５参照）。そして、インクがなくなれば、栓体のみをペン本体から取り外して、開口部からインクをインク吸蔵体に注入・含浸させることによってインクの補充をなし得るようになっている。
【０００５】
【発明が解決しようとする課題】
しかし、従来のインク補充式マーキングペンでは、インクの補充の際にインク吸蔵体が筒状ペン本体に覆われて目視できないために、過剰量のインクを注入してしまうことがあり、ペン本体の先端部のペン先からインク漏れが生じることもあるし、狭い開口部からの注入作業も煩雑である。また、インク吸蔵体をペン本体から取り出してインクを補充することもできるが、その場合はインク吸蔵体を直接手で触るため作業者の手がインクで汚れてしまう。
【０００６】
そこで、本発明は、インクの補充作業性を向上し得るインク補充式マーキングペンを提供することを目的とする。
【０００７】
【課題を解決するための手段】
上記課題を解決するため、本発明は、次の技術的手段を講じた。
すなわち、本発明のマーキングペンは、筒状のペン本体内にインク吸蔵体が収容され、前記ペン本体の一端部はインク吸蔵体をペン本体内に着脱可能とすべく開口されており、該開口部に、インク吸蔵体とは別体の栓体が着脱可能に取付けられ、前記インク吸蔵体の一部が、栓体を前記開口部から取り外したときに該栓体とともに開口部から抜き出されるように栓体に保持されているものである。
【０００８】
かかるマーキングペンでは、インク吸蔵体に触れることなく栓体を取り外すことによりインク吸蔵体をペン本体から抜き出せるので、作業者の手を汚すことなくインクの補充作業を容易に行える。
【０００９】
なお、ペン本体を長尺筒状とするとともにインク吸蔵体を長尺状とし、ペン本体の長手方向一端部をインク吸蔵体をペン本体内に着脱可能とすべく開口し、インク吸蔵体の長手方向一端部を栓体に保持することができる。
【００１０】
栓体を開口部から取り外したときに該栓体とともに開口部から抜き出されるようにインク吸蔵体を栓体に保持する構成として、インク吸蔵体のペン本体への嵌着力よりも強い力でインク吸蔵体を栓体に嵌着するようにすることができる。例えば、栓体におけるインク吸蔵体の嵌着部分をインク吸蔵体よりも幅狭として当該部分の嵌着力を確保するとともに、ペン本体におけるインク吸蔵体の嵌着部分をインク吸蔵体と同幅か若しくは若干幅広としてインク吸蔵体をペン本体から容易に抜き出せるようにすることができる。また、ペン本体におけるインク吸蔵体の嵌着部分がインク吸蔵体よりも幅狭であっても、栓体側にインク吸蔵体への係合爪を設けて大きな嵌着力を確保しておけば、栓体とともにインク吸蔵体がペン本体から抜き出されるようになる。
【００１１】
なお、本発明のマーキングペンは、ペン本体の先端部にペン芯が取付けられているとともにペン本体の後端部に取付けられる栓体にもペン芯が取付けられているツイン式、及び、ペン本体の先端部にペン芯が取付けられペン本体の後端部に取付けられる栓体にはペン芯が取付けられていないシングル式、並びに、ペン本体にはペン芯が取付けられておらずペン本体の開口部に取付けられる栓体にペン芯が取付けられているシングル式のいずれにも適用できる。
【００１２】
【発明の実施の形態】
以下、本発明の実施の形態を図面に基づいて説明する。
【００１３】
図１〜図４は本発明の第１の実施の形態に係るマーキングペン１を示している。このマーキングペン１は、先端部に細書用、後端部に太書用のペン芯２，３を有する両書きタイプの油性又は水性マーカーであって、軸方向先端側にしたがって若干縮径する長尺円筒状に形成されたペン本体４を備えている。該ペン本体４は合成樹脂射出成型品からなり、ペン本体４の先端部にはペン芯保持部５が形成され、該ペン芯保持部５に棒状の細書用ペン芯２が挿通保持されている。なお、ペン本体４は、角筒状、楕円筒状等の種々の形態に設計変更できる。
【００１４】
ペン本体４の後端部（長手方向一端部）は開口されており、該開口部６から着脱自在に長尺円柱状のインク吸蔵体７がペン本体４内に収容されている。図示実施例のインク吸蔵体７は、インクを含浸する長尺円柱状の中綿８と、該中綿８の外側周面を被覆する長尺円筒状の薄膜合成樹脂製カバー９とからなり、該カバー９によって、中綿８に含浸されたインクが中綿８から側方に漏れ出すことを防止している。なお、カバー９は不織布、セロハン等により構成することもできる。また、カバー９は設けずに綿体８のみでインク吸蔵体７を構成することができる。また、インク吸蔵体７は長尺状でなくともよく、さらに、角柱状等の構成とすることもできる。
【００１５】
ペン本体４の内面には、軸方向に延びるリブ１０が周方向複数箇所に設けられており、これらのリブ１０の径方向内端によりインク吸蔵体７を案内している。そして、図３にも示すように、リブ１０の内端とインク吸蔵体７とが圧接されないようにリブ１０の突出量が設定されており、インク吸蔵体７をペン本体４からさほど抵抗なく取り出し得るようにしている。なお、リブ１０の内端がインク吸蔵体７に若干圧接されるようにしてもよく、その場合は、後述する栓体１１によるインク吸蔵体７の保持力をリブ１０による保持力よりも大きくすればよい。また、リブ１０は設けなくともよく、筒状ペン本体４の内面により直接インク吸蔵体７を案内するように構成することもできる。
【００１６】
ペン本体４の後端開口部６には、太書用ペン芯３が取付けられる先栓（栓体）１１が着脱自在に取り付けられている。この先栓１１は、ペン本体４の後端部に嵌入される筒部１２と、ペン本体４の後端面に当接するフランジ部１３と、角柱状のペン芯３を挿通保持する円筒状のペン芯保持部１４とを一体に有する。
【００１７】
インク吸蔵体７の後端部（長手方向一端部）は筒部１２内に着脱自在に挿通保持されている。図示実施例においては、筒部１２の内面には、軸方向に延びるリブ１５が周方向複数箇所に設けられており、該リブ１５の内端によりインク吸蔵体７の後端部を保持し得るようになっている。すなわち、図４にも示すように、リブ１５の突出量は、リブ１５の内端がインク吸蔵体７に圧接されるように設定されており、栓体１１が所要の保持力でインク吸蔵体７を保持し、而して、インク吸蔵体７のペン本体４への嵌着力よりも強い力でインク吸蔵体７が栓体１１に嵌着されるようにしている。なお、上記リブ１５にインク吸蔵体７に食い込む係合爪（図示せず）を設けることにより、インク吸蔵体７の栓体１１への嵌着力を向上させることもできる。また、上記リブ１５は設けなくとも良く、栓体１１の筒部１２への単なる圧入等の他の方法によりインク吸蔵体７を栓体１１に保持することができる。
【００１８】
栓体１１のフランジ部１３の周方向所要箇所には、１０円玉等のコインや工具を係合可能な切欠部１６が形成されており、該切欠部１６にコイン等を係合することにより栓体１１を容易にこじ開けることができるようにしている。なお、栓体１１を開ける手段は上記構成に限定されるものではなく、他の方法によって栓体１１をこじ開けてもよい。
【００１９】
なお、各ペン芯２，３は、それぞれ内端部がインク吸蔵体７の中綿８内に差し込まれており、中綿８に含浸されたインクが各ペン芯２，３に導出されるようになっている。
【００２０】
また、ペン本体４の先端側及び後端側のそれぞれにペン芯２，３を覆うキャップ１７，１８が着脱自在に取付けられている。
【００２１】
図５は本発明の第２の実施の形態を示しており、上記第１実施形態と異なる点は、ペン本体４にのみペン芯２が取付けられ、栓体１１（尾栓）にペン芯が取付けられない片書き用マーカーである点であり、その他の構成は同様であるので同符号を付して詳細説明を省略する。
【００２２】
図６は本発明の第３の実施の形態を示しており、上記第１実施形態と異なる点は、栓体１１にのみペン芯３が取付けられ、ペン本体４の先端部にペン芯が取付けられない片書き用マーカーである点であり、その他の構成は第１実施形態と同様であるので同符号を付して詳細説明を省略する。
【００２３】
本発明は上記実施形態に限定されるものではなく、適宜設計変更できる。
【００２４】
【発明の効果】
本発明によれば、インク補充式のマーキングペンにおいて、栓体をペン本体から取り外すと、栓体とともにインク吸蔵体が開口部から抜き出され、インク吸蔵体がその一端部を除いて剥き出し状となるので、かかるインク吸蔵体に対するインクの補充を容易に行うことができるとともに、吸蔵体の確認が容易となってインク補充の過不足が生じることを防止でき、さらに、栓体を持ちながらの作業であるのでインク吸蔵体に触れる必要はなく、手を汚すこともない。また、栓体を持ちながらインク吸蔵体をインク壷に入れ、インクを補充することも可能である。この場合、インクの付着したインク吸蔵体に手が触れないため、手を汚すことがない。
【００２５】
さらに、インク吸蔵体の一端部を保持する栓体は、インク吸蔵体とは別体であるから、製造ラインにおいてはペン本体にインク吸蔵体を収容し、該吸蔵体にインクを含浸させた後に栓体をペン本体に取付けることができ、生産性の向上を図ることができ、このようにペン本体に栓体を取付けることでインク吸蔵体の一端部が栓体に保持され、ユーザーが栓体を取り外すときには上記したようにインク吸蔵体に触れずに該吸蔵体を取り出すことが可能となる。
【図面の簡単な説明】
【図１】本発明の第１の実施の形態に係るマーキングペンの縦断面図である。
【図２】同マーキングペンの要部を示す縦断面図である。
【図３】図１のＡ−Ａ線断面の拡大図である。
【図４】図１のＢ−Ｂ線断面の拡大図である。
【図５】本発明の第２の実施の形態に係るマーキングペンの縦断面図である。
【図６】本発明の第３の実施の形態に係るマーキングペンの縦断面図である。
【符号の説明】
１  マーキングペン
２  ペン芯
３  ペン芯
４  ペン本体
６  開口部
７  インク吸蔵体
１１  栓体
【図１】
0003838597.tif 000002
【図２】
0003838597.tif 000003
【図３】
0003838597.tif 000004
【図４】
0003838597.tif 000005
【図５】
0003838597.tif 000006
【図６】
0003838597.tif 000007